【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
レーザ光により光ディスクに情報を記録する光ピックアップと、
前記レーザ光の光量を制御するレーザ駆動部と、
前記光ディスクからの反射光を基にＲＦ信号を生成する再生信号検出部と、
前記ＲＦ信号を基にβ値を算出するβ検出部と、
前記レーザ駆動部を複数の駆動値で駆動して複数の記録パワーに基づき複数のβ値を算出し、前記算出した複数のβ値を比較して記録パワーの最適化処理を行う制御部と、を備え、
前記制御部は、
前記複数のβ値を算出する際に用いた前記記録パワーを昇順もしくは降順に並べたとき、
前記記録パワーに対応する少なくとも３つのβ値が連続して単調増加または単調減少をするβ値のうち、連続した２つのβ値の差をＸと定義し、
最初に現れる単調増加または単調減少に反するβ値と、そのβ値に対して２つ隣に位置する単調増加または単調減少をするβ値との差をＹと定義し、
２番目に現れる単調増加または単調減少に反するβ値と、そのβ値に対して２つ隣に位置する単調増加または単調減少をするβ値との差をＺと定義した場合、
所定の数式｜２Ｘ−Ｙ｜＞｜２Ｘ−Ｚ｜
を用いて単調増加または単調減少に反するβ値の中から補正するβ値を決定することを特徴とする光ディスク装置。
【請求項２】
前記制御部は、
前記所定の数式を満足し、かつ３Ｘ＞Ｚ＞Ｘを満足する場合、
前記最初に現れる単調増加または単調減少に反するβ値の値を補正することを特徴とする請求項１記載の光ディスク装置。
【請求項３】
前記制御部は、
前記所定の数式を満足せず、かつ３Ｘ＞Ｙ＞Ｘを満足する場合、
前記２番目に現れる単調増加または単調減少に反するβ値の値を補正することを特徴とする請求項１記載の光ディスク装置。
【請求項４】
複数の記録パワーに基づき複数のβ値を算出し、前記算出した複数のβ値を比較して記録パワーの最適化処理を行う光ディスク装置の記録方法であって、
前記複数のβ値を算出する際に用いた前記記録パワーを昇順もしくは降順に並べたとき、
前記記録パワーに対応する少なくとも３つのβ値が連続して単調増加または単調減少をするβ値のうち、連続した２つのβ値の差をＸと定義し、
最初に現れる単調増加または単調減少に反するβ値と、そのβ値に対して２つ隣に位置する単調増加または単調減少をするβ値との差をＹと定義し、
２番目に現れる単調増加または単調減少に反するβ値と、そのβ値に対して２つ隣に位置する単調増加または単調減少をするβ値との差をＺと定義した場合、
第１の数式｜２Ｘ−Ｙ｜＞｜２Ｘ−Ｚ｜と、
第２の数式３Ｘ＞Ｚ＞Ｘと、
第３の数式３Ｘ＞Ｙ＞Ｘと、
を用いて単調増加または単調減少に反するβ値の値を補正し前記記録パワーの最適化処理を行うことを特徴とする光ディスク装置の記録方法。
【手続補正２】
【補正対象書類名】明細書
【補正対象項目名】００２１
【補正方法】変更
【補正の内容】
【００２１】
本発明は、上記課題を解決するためになされたものであり、レーザ光により光ディスクに情報を記録する光ピックアップと、レーザ光の光量を制御するレーザ駆動部と、光ディスクからの反射光を基にＲＦ信号を生成する再生信号検出部と、ＲＦ信号を基にβ値を算出するβ検出部と、レーザ駆動部を複数の駆動値で駆動して複数の記録パワーに基づき複数のβ値を算出し、算出した複数のβ値を比較して記録パワーの最適化処理を行う制御部と、を備え、制御部は、複数のβ値を算出する際に用いた記録パワーを昇順もしくは降順に並べたとき、記録パワーに対応する少なくとも３つのβ値が連続して単調増加または単調減少をするβ値のうち、連続した２つのβ値の差をＸと定義し、最初に現れる単調増加または単調減少に反するβ値と、そのβ値に対して２つ隣に位置する単調増加または単調減少をするβ値との差をＹと定義し、２番目に現れる単調増加または単調減少に反するβ値と、そのβ値に対して２つ隣に位置する単調増加または単調減少をするβ値との差をＺと定義した場合、所定の数式｜２Ｘ−Ｙ｜＞｜２Ｘ−Ｚ｜を用いて単調増加または単調減少に反するβ値の中から補正するβ値を決定することを特徴とするものである。
【手続補正３】
【補正対象書類名】明細書
【補正対象項目名】００２２
【補正方法】変更
【補正の内容】
【００２２】
また、複数の記録パワーに基づき複数のβ値を算出し、算出した複数のβ値を比較して記録パワーの最適化処理を行う光ディスク装置の記録方法であって、複数のβ値を算出する際に用いた記録パワーを昇順もしくは降順に並べたとき、記録パワーに対応する少なくとも３つのβ値が連続して単調増加または単調減少をするβ値のうち、連続した２つのβ値の差をＸと定義し、最初に現れる単調増加または単調減少に反するβ値と、そのβ値に対して２つ隣に位置する単調増加または単調減少をするβ値との差をＹと定義し、２番目に現れる単調増加または単調減少に反するβ値と、そのβ値に対して２つ隣に位置する単調増加または単調減少をするβ値との差をＺと定義した場合、第１の数式｜２Ｘ−Ｙ｜＞｜２Ｘ−Ｚ｜と、第２の数式３Ｘ＞Ｚ＞Ｘと、第３の数式３Ｘ＞Ｙ＞Ｘと、を用いて単調増加または単調減少に反するβ値の値を補正し記録パワーの最適化処理を行うことを特徴とするものである。
【手続補正４】
【補正対象書類名】明細書
【補正対象項目名】００２３
【補正方法】変更
【補正の内容】
【００２３】
本発明は上記構成により、所定の数式｜２Ｘ−Ｙ｜＞｜２Ｘ−Ｚ｜を用いて単調増加または単調減少に反するβ値の中から補正するβ値を決定することによって、誤差を含むβ値の検出を正しく行うことが可能となる。
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】変更
【補正の内容】
【００２６】
請求項１記載の発明は、レーザ光により光ディスクに情報を記録する光ピックアップと、レーザ光の光量を制御するレーザ駆動部と、光ディスクからの反射光を基にＲＦ信号を生成する再生信号検出部と、ＲＦ信号を基にβ値を算出するβ検出部と、レーザ駆動部を複数の駆動値で駆動して複数の記録パワーに基づき複数のβ値を算出し、算出した複数のβ値を比較して記録パワーの最適化処理を行う制御部と、を備え、制御部は、複数のβ値を算出する際に用いた記録パワーを昇順もしくは降順に並べたとき、記録パワーに対応する少なくとも３つのβ値が連続して単調増加または単調減少をするβ値のうち、連続した２つのβ値の差をＸと定義し、最初に現れる単調増加または単調減少に反するβ値と、そのβ値に対して２つ隣に位置する単調増加または単調減少をするβ値との差をＹと定義し、２番目に現れる単調増加または単調減少に反するβ値と、そのβ値に対して２つ隣に位置する単調増加または単調減少をするβ値との差をＺと定義した場合、所定の数式｜２Ｘ−Ｙ｜＞｜２Ｘ−Ｚ｜を用いて単調増加または単調減少に反するβ値の中から補正するβ値を決定することを特徴とするものである。これにより、誤差を含むβ値の検出を正しく行うことが可能となる。そのため、記録パワーの最適化処理を行う際に、補正すべきβ値を正しく把握することができ、記録パワーの最適化処理による最適値の精度向上をすることができる光ディスク装置を実現することができる。
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】変更
【補正の内容】
【００２８】
請求項２記載の発明は、制御部が、所定の数式を満足し、かつ３Ｘ＞Ｚ＞Ｘを満足する場合、最初に現れる単調増加または単調減少に反するβ値の値を補正することを特徴とするものである。これにより、誤差を含む可能性があるβ値の中から、誤差を含むβ値を容易に決定することができる。
【手続補正９】
【補正対象書類名】明細書
【補正対象項目名】００２９
【補正方法】変更
【補正の内容】
【００２９】
請求項３記載の発明は、制御部が、所定の数式を満足せず、かつ３Ｘ＞Ｙ＞Ｘを満足する場合、２番目に現れる単調増加または単調減少に反するβ値の値を補正することを特徴とするものである。これにより、誤差を含む可能性があるβ値の中から、誤差を含むβ値を容易に決定することができる。
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】変更
【補正の内容】
【００３１】
請求項４記載の発明は、複数の記録パワーに基づき複数のβ値を算出し、算出した複数のβ値を比較して記録パワーの最適化処理を行う光ディスク装置の記録方法であって、複数のβ値を算出する際に用いた記録パワーを昇順もしくは降順に並べたとき、記録パワーに対応する少なくとも３つのβ値が連続して単調増加または単調減少をするβ値のうち、連続した２つのβ値の差をＸと定義し、最初に現れる単調増加または単調減少に反するβ値と、そのβ値に対して２つ隣に位置する単調増加または単調減少をするβ値との差をＹと定義し、２番目に現れる単調増加または単調減少に反するβ値と、そのβ値に対して２つ隣に位置する単調増加または単調減少をするβ値との差をＺと定義した場合、第１の数式｜２Ｘ−Ｙ｜＞｜２Ｘ−Ｚ｜と、第２の数式３Ｘ＞Ｚ＞Ｘと、第３の数式３Ｘ＞Ｙ＞Ｘと、を用いて単調増加または単調減少に反するβ値の値を補正し記録パワーの最適化処理を行うことを特徴とするものである。これにより、誤差を含むβ値の検出をより確実に行うことができる。そのため、記録パワーの最適化処理を行う際に、補正すべきβ値を正しく把握することができ、記録パワーの最適化処理による最適値の精度向上をすることができる光ディスク装置の記録方法を実現することができる。
【手続補正１２】
【補正対象書類名】明細書
【補正対象項目名】００３２
【補正方法】削除
【補正の内容】